(57)【特許請求の範囲】
【請求項１】
遊技機の制御を行なうための電子部品が実装され、差し込み方向が基板面に垂直なコネクタが片面に実装された回路基板を収容する遊技機の基板ケースにおいて、
前記遊技機に取り付けられる略板状のベース部と、
略無蓋箱状の部材であって、その開口部に前記ベース部を重合させることにより前記回路基板を収容する空間を創出する収容部と、
前記片面を前記収容部の底面に向けかつ前記コネクタを前記収容部から露出させて前記回路基板を前記収容部に取り付けるための基板取付部と、
前記ベース部に設けられ、前記回路基板が前記基板取付部にて取り付けられた状態で前記開口部を当該ベース部にて塞ぐと、前記回路基板のうち、前記コネクタが設けられた箇所よりも端部側を支持する支持部と、
を備えたことを特徴とする遊技機の基板ケース。
【請求項２】
請求項１に記載の遊技機の基板ケースにおいて、
前記基板取付部が、
前記収容部に設けられ、前記回路基板をねじ止め可能な取付ボスであって、
前記取付ボスは、前記回路基板のうち、前記コネクタから見て前記支持部材が支持する箇所とは反対側における、前記コネクタからの距離が異なる少なくとも２ヶ所で前記回路基板をねじ止めする
ことを特徴とする遊技機の基板ケース。
【請求項３】
請求項２に記載の遊技機の基板ケースにおいて、
前記電子部品が、前記回路基板の前記片面に実装されたものであり、
前記取付ボスが、前記回路基板を前記開口部よりも前記収容部の内側に取り付けるものであり、
前記収容部に重合された状態の前記ベース部と前記収容部とを、破壊しなければ封止が解けないように封止する封止部
を備えたことを特徴とする遊技機の基板ケース。
【請求項４】
請求項３に記載の遊技機の基板ケースにおいて、
前記ベース部が、前記収容部に対してスライドさせることによって、該収容部に重合されるものである
ことを特徴とする遊技機の基板ケース。
【請求項５】
請求項４に記載の遊技機の基板ケースにおいて、
前記回路基板が、略長方形の板状部材であって、その１辺に沿って前記コネクタが実装されたものであり、
前記収容部が、蓋のない略直方体状の部材であって、その１側面から前記コネクタを露出させた状態で前記回路基板を収容するものであり、
前記ベース部が、前記収容部の前記開口部と整合する略長方形の部材
であることを特徴とする遊技機の基板ケース。
【請求項６】
請求項５に記載の遊技機の基板ケースにおいて、
前記ベース部の前記スライドが、前記回路基板において前記１辺と垂直な方向に行なわれ、
前記収容部と一体に形成され、前記１側面から露出された前記コネクタの周囲を囲む塀状の包囲部を備え、
前記ベース部が、重合方向に突設された外縁を備え、
前記重合時に前記外縁と前記包囲部の外面とが当接して前記ベース部と前記収容部との相対位置が決まり、
前記支持部が、前記外縁の内面に突設されたものであり、
前記包囲部の、前記外縁が当接する外面に形成され、前記重合時に前記支持部が入りこむ凹部
を備えたことを特徴とする遊技機の基板ケース。
【請求項７】
請求項６に記載の遊技機の基板ケースにおいて、
前記包囲部と前記コネクタの間に生じる隙間を埋める枠状部材であって、前記包囲部に着脱自在にされたコネクタカバー
を備えたことを特徴とする遊技機の基板ケース。
【請求項８】
請求項７に記載の遊技機の基板ケースにおいて、
前記コネクタカバーが、
前記取付ボスに外嵌されることにより前記包囲部に着脱自在にされているものであることを特徴とする遊技機の基板ケース。
【発明の詳細な説明】
【０００１】
【発明の属する技術分野】
本発明は、遊技機の制御用ＲＯＭ等が実装された回路基板を収納するための基板ケースに関する。
【０００２】
【従来の技術】
従来の遊技機においては、裏面側に、遊技の制御を行なう回路基板を収容した基板ケースが設けられている。パチンコ機の場合、回路基板には遊技制御を行なう主制御装置や球払出装置を制御する払出制御装置などの制御回路を成すＩＣや抵抗等の各種電子部品が実装されており、基板ケースはこの回路基板を外部から保護する役割をしている。
【０００３】
回路基板の制御対象となる画像表示装置やランプは基板ケース外にあるため、これらと基板ケース内の回路基板とは、コネクタにて接続されることになる。これはパチンコ機以外の遊技機の基板ケースにおいても制御対象が異なるだけで、コネクタを備えている点では同様である。
【０００４】
そして回路基板のコネクタに、このコネクタと対になるコネクタを差し込むことにより、回路基板は制御対象や基板ケース外のセンサと電気的に接続され、例えばランプを点滅させたりセンサからの信号を受け取ったりする。
【０００５】
【発明が解決しようとする課題】
しかしながら、コネクタを差し込む際には、回路基板に大きな荷重が加わる。この荷重により回路基板が大きく湾曲したり、破損したりして、回路基板状の配線パターンと電子部品との電気的接続が不良になる虞がある。また、配線パターンが断線することも予想される。
【０００６】
本発明はかかる課題に鑑みなされたもので、請求項１に記載の遊技機の基板ケース（以下、単に基板ケースとも言う）は、コネクタの差し込み時に回路基板が断線したり破損したりするのを防止することを目的とする。
請求項２に記載の本発明は、請求項１の基板ケースの目的を達成するに加え、コネクタが差し込む際に回路基板が収容部から脱落しないようにすることを目的とする。
【０００７】
請求項３に記載の本発明は、許可なく電子部品を交換する、という不正を防止することを目的とする。
請求項４に記載の本発明は、請求項３の基板ケースにおける不正防止効果を一層優れたものにすることを目的とする。
【０００８】
請求項５に記載の本発明は、請求項４の基板ケースを簡素に実現できる態様を示すものである。
請求項６に記載の本発明は、当該基板ケースの剛性を高めることを目的とする。
【０００９】
請求項７に記載の本発明は、様々な形状、数のコネクタが備えられた回路基板に対応できるようにすることを目的とする。
請求項８に記載の本発明は、簡素な構成でコネクタカバーを取付可能にすることを目的とする。
【００１０】
【課題を解決するための手段】
かかる課題を解決するためになされた本発明の請求項１に記載の遊技機の基板ケースは、遊技機の制御を行なうための電子部品が実装され、差し込み方向が基板面に垂直なコネクタが片面に実装された回路基板を収容する遊技機の基板ケースにおいて、前記遊技機に取り付けられる略板状のベース部と、略無蓋箱状の部材であって、その開口部に前記ベース部を重合させることにより前記回路基板を収容する空間を創出する収容部と、前記片面を前記収容部の底面に向けかつ前記コネクタを前記収容部から露出させて前記回路基板を前記収容部に取り付けるための基板取付部と、前記ベース部に設けられ、前記回路基板が前記基板取付部にて取り付けられた状態で前記開口部を当該ベース部にて塞ぐと、前記回路基板のうち、前記コネクタが設けられた箇所よりも端部側を支持する支持部と、を備えたことを特徴とする。
【００１１】
請求項２に記載の本発明は、請求項１に記載の遊技機の基板ケースにおいて、
前記基板取付部が、前記収容部に設けられ、前記回路基板をねじ止め可能な取付ボスであって、前記取付ボスは、前記回路基板のうち、前記コネクタから見て前記支持部材が支持する箇所とは反対側における、前記コネクタからの距離が異なる少なくとも２ヶ所で前記回路基板をねじ止めすることを特徴とする。
【００１２】
請求項３に記載の本発明は、請求項２に記載の遊技機の基板ケースにおいて、
前記電子部品が、前記回路基板の前記片面に実装されたものであり、
前記取付ボスが、前記回路基板を前記開口部よりも前記収容部の内側に取り付けるものであり、
前記収容部に重合された状態の前記ベース部と前記収容部とを、破壊しなければ封止が解けないように封止する封止部を備えたことを特徴とする。
【００１３】
請求項４に記載の本発明は、請求項３に記載の遊技機の基板ケースにおいて、
前記ベース部が、前記収容部に対してスライドさせることによって、該収容部に重合されるものであることを特徴とする。
請求項５に記載の本発明は、請求項４に記載の遊技機の基板ケースにおいて、
前記回路基板が、略長方形の板状部材であって、その１辺に沿って前記コネクタが実装されたものであり、
前記収容部が、蓋のない略直方体状の部材であって、その１側面から前記コネクタを露出させた状態で前記回路基板を収容するものであり、
前記ベース部が、前記収容部の前記開口部と整合する略長方形の部材
であることを特徴とする。
【００１４】
請求項６に記載の本発明は、請求項５に記載の遊技機の基板ケースにおいて、
前記ベース部の前記スライドが、前記回路基板において前記１辺と垂直な方向に行なわれ、
前記収容部と一体に形成され、前記１側面から露出された前記コネクタの周囲を囲む塀状の包囲部を備え、
前記ベース部が、重合方向に突設された外縁を備え、
前記重合時に前記外縁と前記包囲部の外面とが当接して前記ベース部と前記収容部との相対位置が決まり、
前記支持部が、前記外縁の内面に突設されたものであり、
前記包囲部の、前記外縁が当接する外面に形成され、前記重合時に前記支持部が入りこむ凹部を備えたことを特徴とする。
【００１５】
請求項７に記載の本発明は、請求項６に記載の遊技機の基板ケースにおいて、
前記包囲部と前記コネクタの間に生じる隙間を埋める枠状部材であって、前記包囲部に着脱自在にされたコネクタカバーを備えたことを特徴とする。
請求項８に記載の本発明は、請求項７に記載の遊技機の基板ケースにおいて、
前記コネクタカバーが、前記取付ボスに外嵌されることにより前記包囲部に着脱自在にされているものであることを特徴とする。
【００１６】
【発明の実施の形態】
請求項１に記載の基板ケースでは、回路基板が取り付けられた収容部とベース部とを重合させることにより、回路基板を収容する。ベース部は、遊技機に取り付けられる略板状部材であり、従来の基板ケースでは回路基板はこちらに取り付けられていた。これを本発明の基板ケースでは、無蓋箱状の収容部側に取り付けている。この取り付けは、基板取付部にて行なわれる。回路基板には、その片面にコネクタが実装されており、回路基板が収容部に取り付けられると、コネクタは収容部から露出された状態となる。
【００１７】
こうして回路基板が取り付けられた収容部にベース部を重合すると、回路基板のうち、コネクタが設けられた箇所よりも端部側は、ベース部に設けられた支持部によって前記片面とは反対側から支持される。この基板ケースに取り付けられた回路基板のコネクタに、これと対になるコネクタを差し込んでも、その荷重が支持部によって支持される。従って請求項１に記載の基板ケースによれば、回路基板が大きく湾曲したり破損したりすることがない。
【００１８】
請求項２に記載の本発明では、基板取付部を、収容部に設けられた取付ボスとして構成している。取付ボスは、回路基板のうち、コネクタから見て支持部材が支持する箇所とは反対側における、コネクタからの距離が異なる少なくとも２ヶ所に設けられている。
【００１９】
この取付ボスに回路基板をねじ止めし、収容部にベース部を重合すると、回路基板の、収容部から露出された箇所（具体的にはコネクタが設けられた箇所）はベース部側の支持部によって支持され、収容部に収容された箇所は収容部側の取付ボスによって少なくとも２ヶ所が支持され、計少なくとも３ヶ所にて支えられる。
【００２０】
従ってこの基板ケースによれば、コネクタの近傍の取付ボスに加わる荷重はねじを引き抜く方向に掛かるものの、荷重が加わる箇所から近いために荷重の大きさはコネクタを差し込む力、すなわち人力と大差ない。また、コネクタからかけ離れた取付ボスについては荷重が逆方向に加わるため、ねじを引き抜かれることはない。従って、請求項２に記載の基板ケースによれば、コネクタを差し込んでも、回路基板が取付ボスから脱落することがない。
【００２１】
請求項３に記載の基板ケースでは、取付ボスが、回路基板を開口部よりも収容部の内側に取り付けるものとしている。また電子部品が、コネクタが実装されたのと同じ側に実装されているため、収容部に回路基板を取り付ける際には電子部品は収容部の内側を向くこととなる。
【００２２】
このようにすると、ベース部と収容部との隙間から工具などを差し込んで、回路基板に実装された電子部品を許可なく交換しようとしても、電子部品は収容部の内側に実装されているため、不可能である。なお、この重合状態は封止部によって離脱困難に封止されるので、基板ケースを破壊しない限りさせることができない。従って、基板ケースを壊すことなく電子部品を交換する、という不正を防止することができる。
【００２３】
請求項４に記載の基板ケースでは、ベース部を収容部に対してスライドさせることによって、収容部に重合されるものとしている。
このようにベース部をスライド式にすると、ベース部と収容部との間に隙間があきにくくなり、前述の、工具を隙間から差し込むという不正の防止効果を高めることができる。なお既に説明したように、回路基板は収容部側に取り付けられているため、ベース部をスライドさせても、電子部品が収容部の一部に干渉したり、コネクタの収容部からの露出量が変わったりする、といったことは無い。
【００２４】
請求項５に記載の本発明では、回路基板を、略長方形の板状部材であって、その１辺に沿ってコネクタが実装されたものとしている。そして収容部を、蓋のない略直方体状の部材であって、その１側面からコネクタを露出させた状態で回路基板を収容するものとしている。またベース部を、収容部の前記開口部と整合する略長方形の部材としている。
【００２５】
これに反し、例えばコネクタを、回路基板の略中央や２辺以上に沿って設けると、ベース部のスライドが困難になったり、対になるコネクタを差し込みにくくなる可能性が高い。この点、請求項５のようにすれば、露出する必要のあるコネクタを、収容部の１側面から露出させることができるので、ベース部のスライドも容易となり、請求項４の基板ケースを簡素に実現できる。
【００２６】
請求項６に記載の本発明では、ベース部のスライドが、回路基板において１辺と垂直な方向に行なわれるようにされている。そして収容部の１側面から露出されたコネクタの周囲を囲う塀状の包囲部が、収容部と一体に形成されている。一方、ベース部には、外縁が重合方向に突設されており、支持部はこの外縁の内面に突設されている。このベース部を収容部に重合すると、外縁が包囲部の外面に当接して当該ベース部と収容部の相対位置を規定する。また支持部は回路基板を支持するだけでなく、包囲部の外面に形成された凹部に入りこむ。
【００２７】
こうすると重合時には、収容部の前記１側面は、包囲部を介してベース部の外縁に当接することになるので、包囲部と外縁の間に隙間があくことがない。従って、この箇所から工具などを差し込むことができない。また重合時には支持部が、包囲部の凹部に入りこむため、ベース部がスライド方向と垂直方向にがたつかなくなり、重合時の基板ケースの剛性を高めることができる。
【００２８】
請求項７に記載の本発明では、包囲部とコネクタの間に生じる隙間を埋める枠状部材であるコネクタカバーを、包囲部に着脱自在に設けている。
このような請求項７に記載の基板ケースによれば、コネクタカバーを交換することにより様々な形状、数のコネクタに対応できる。また包囲部とコネクタの間の隙間が塞がれるので、不正な部品が回路基板に取り付けられる心配がない。
【００２９】
請求項８に記載の本発明では、コネクタカバーが、取付ボスに外嵌されることにより包囲部に着脱自在にされている。
こうすると、コネクタカバーを包囲部に取り付けるための特別な構成が不要となる。また、回路基板の位置が取付ボスによって決められ、コネクタは回路基板に対して一定の位置に設けられるので、コネクタとコネクタカバーの位置決めも可能となる。
【００３０】
【実施例】
以下に本発明の実施例を図面と共に説明する。
まず、図１は本発明を適用した基板ケース１が設けられたパチンコ機の裏面を示す説明図である。基板ケース１は本図に示す様に、パチンコ機の裏面の略中央に取り付けられており、画像制御基板３、賞球制御基板５等とコネクタ群７を介して結線される。
【００３１】
図２に基板ケース１の斜視図を示す。基板ケース１は、パチンコ機に直接取り付けられるベース部９と、ベース部９に重合される収容部１１とを備えている。収容部１１は蓋のない略直方体状の透明の合成樹脂にて形成されており、内部に回路基板が収納されている。そして本図に示すベース部９に重合された状態で、ピン１３がピン挿入口１５に入れられることにより封止される。ピン挿入口１５は４個用意されており、これによりパチンコ機の出荷時を含めて計４回封止が可能にされている。２回目以降の封止を行なうためのピン１７は、収容部１１に取り付けられている。
【００３２】
収容部１１に回路基板２１を取り付ける様子を図３〜５に示す。まず図３に示すように、収容部１１には破線で示す取付ボス２３ａ、２３ｂが内部に設けられており、ここに回路基板２１を介してねじ２５を螺合させることにより回路基板２１を固定する。この際、回路基板２１は電子部品群２７が設けられた側の面が収容部１１内を向くように固定される。本図によく示されているように取付ボス２３ａはコネクタ群７の近傍、取付ボス２３ｂはそこからかけ離れた位置にて回路基板２１を支持する。こうして取り付けられた回路基板２１は、その１辺に沿って実装されているコネクタ群７が、収容部１１の１側面から露出される。なお、回路基板２１を取付ボス２３ａ、２３ｂにあてがうに先んじて、コネクタカバー２９が収容部１１に取り付けられる。コネクタカバー２９は、コネクタ群７の各コネクタの形状に対応した穴３２が形成された枠状部材であり、回路基板２１を収容部１１に固定すると、コネクタ群７が穴３２を介して収容部１１から露出される。一方、収容部１１にはコネクタ群７を包囲する包囲部が形成されている。これについて図４に示す。
【００３３】
図４はコネクタカバー２９を収容部１１に取り付ける様子を図３とは逆方向から見た斜視図である。包囲部３４にはコネクタ窓３３が形成されている。コネクタ窓３３は、コネクタカバー２９の穴３２よりも大きく、また、コネクタ群７を成すコネクタの内の幾つかはまとめて、１つのコネクタ窓３３から露出される。これは、収容部１１に回路基板２１とはコネクタの形状や数が異なる回路基板を収容する場合に対応するためである。但しこれでは、コネクタカバー２９を用いることなく回路基板２１などを収容部１１に取り付けると、コネクタとコネクタ窓３３との間に隙間があいてしまう。コネクタカバー２９はこの隙間を埋めて、回路基板２１などに不正な部品が取り付けられないようにする。なお、コネクタカバー２９は、その両端付近に形成された取付ボス２３ａとほぼ同径の穴３５を取付ボス２３ａに嵌めこむことにより収容部１１に着脱自在に取り付けられる。従って、コネクタカバー２９を交換するだけで、回路基板２１以外の回路基板に対応できる。
【００３４】
回路基板２１を収容部１１に取り付ける様子を図５（ａ）に示す。図５（ａ）は、この様子を図４と同方向から見た斜視図である。コネクタカバー２９を収容部１１に取り付けた後、回路基板２１を、電子部品群２７が実装された側を収容部１１の底面３７に向けて載置し、ねじ２５で固定する。固定した様子を示したのが図５（ｂ）である。本図に示す様に、収容部１１に取り付けられた回路基板２１は、収容部１１の端面（本図における最上面）よりも収容部１１の内側に位置される。
【００３５】
包囲部３４の外面３４ａには切欠状の凹部４２が形成されている。また、外面３４ａと対向する周壁の内側には長方形の穴状の凹部４３が形成されている。なお、回路基板２１は、スルーホールを用いて電子部品群２７やコネクタ群７が実装された基板であり、図５（ａ）、図５（ｂ）に示された面は半田や電極が露出しているが、何れの図面でもこれらを省略している。
【００３６】
収容部１１をベース部９に重合（以下、単に重合とも言う）させる様子について図６に示す。図６（ａ）は重合させる前の状態、図６（ｂ）は重合させた状態を示す図で、いずれも図２におけるＡ−Ａ′断面にて表している。なお、本図では、重合に特に重要な構成のみを示しており、取付ボス２３ａ、２３ｂや回路基板２１は省略している。
【００３７】
ベース部９の本図の手前側の周壁４５および図示しない向こう側の周壁には、４つの凸片４７がそれぞれ形成されている。一方、周壁４５に対応する収容部１１側の周壁４９（図５参照）の内側には、凸片４７に係止する４つの係止片５１、および係止前の段階で凸片４７に当接して重合操作途中における収容部１１の位置決めを行なう３つのガイド部５３が設けられている。なお、本図の最も左の凸片４７に対応するガイド部は、外面３４ａの下端面３４ｂがその代わりを果たす。
【００３８】
収容部１１をベース部９に重合させるには、収容部１１を図６（ａ）に示すような位置、すなわち、４つの凸片４７の上にガイド部５３または下端面３４ｂが位置するようにする。このとき、収容部１１、ベース部９の長手方向（本図において紙面に垂直な方向）の位置も整合させる。この位置から収容部１１を本図において下降させ、凸片４７をガイド部５３（または下端面３４ｂ）に当接させる。この状態から収容部１１を本図の左方へスライドさせる。すると係止片５１が凸片４７の下側に係止して、収容部１１がベース部９から離れないようになる。なお、ベース部９の、本図において左側の周壁５５には、本発明の外縁に相当する当接部５７が突設されている。
【００３９】
なお、以上説明した操作を逆に行なうと収容部１１をベース部９から離れさせることができる。封止を行なうためには前述のピン１３またはピン１７をピン挿入口１５に差し込む。これについて図７、８を用いて説明する。
図７は、収容部１１がベース部９に重合されていない様子を示す斜視図である。ピン挿入口１５の各貫通穴は、その周囲が壁状に盛り上げられている。一方、ベース部９側には、ピン挿入口１５の貫通穴に整合する位置に長方形の穴５９が形成された封止用ベース６１が取り付けられている。封止用ベース６１の穴５９は貫通穴であるが、封止用ベース６１がベース部９に取り付けられることにより底のあるものとなる。
【００４０】
ピン１３（ピン１７も同様）は略兀字型をしており、ピン挿入口１５の貫通穴に押し込むと、その二股になった部分が弾性変形して封止用ベース６１に入り込み、収容部１１をベース部９に対してスライド困難な状態にする。この様子を図８（ａ）に示す。図８（ａ）はピン１３を差し込んだピン挿入口１５を図２のＢ−Ｂ′で断面にした図である。本図に示す様に、穴５９はその途中に段が形成されており、ピン１３の鉤部６３がここに係止する。またこのとき、前述した壁状に盛り上げられた部分６５が、ピン１３の頂部６７を包囲する。そして、穴５９の底は、ベース部９によって塞がれるため、この状態のピン１３を抜き取るのは極めて困難である。
【００４１】
なお、正規に封止を解く際には、壁状の部分６５をニッパなどで切り落し、更にピン１３を切断して抜き取る。この際、収容部１１の上面に封止を解いた日付などを記載し、封止の履歴を残す。このようにピン１３および壁状部分６５を破壊しない限り、基板ケース１の封止を解くのは困難である。なお、基板ケース１の再封止をする際には、ピン１７をピン挿入口１５の別の貫通穴に差し込む。１回の封止に用いるピン１７は１本としておけば、最高４回封止を行なうことができ、また破壊された壁状部分６５の数から封止が解かれた回数を知ることができる。
【００４２】
封止用ベース６１は、ねじ６９でベース部９に内側から固定されている。従って、封止用ベース６１を取り外すのは封止が解かれた後でないと無理である。ピン１３、１７と、ピン挿入口１５と、封止用ベース６１、ベース部９が本発明の封止部に相当する。なお、符号７１は重合時に凹部４３（図５参照）に嵌合する凸部、符号７３は重合時に凹部４２（図５参照）に嵌合する凸部、符号７５は重合時に図示されていない凹部に嵌合する凸部である。これらにより、重合時に収容部１１がベース部９に対してがたつくことがなく、基板ケース１の剛性を高く保つことができる。
【００４３】
図２のＣ−Ｃ′断面を図９に示す。本図に示す様に、重合させた際に、ベース部９に設けられた当接部５７が、ベース部９・収容部１１の接合部分を覆うため、ベース部９・収容部１１間に隙間があかない。なお、当接部５７と略同様の作用をする当接部７７が収容部１１に設けられており、こちら側から工具などを収容部１１内に差し込むことも不可能である。
【００４４】
また回路基板２１は、収容部１１とベース部９の境目よりも上側に位置している。しかも本図には示されていない電子部品群２７が、収容部１１の内側に実装されているため、周壁４５の方向などから万が一、工具などを差し込んでも、回路基板２１に実装されたＲＯＭなどを交換するのは不可能である。なお、電子部品群２７が、収容部１１の内側に実装され、且つ収容部１１が透明の部材で形成されていることにより、開封をすることなく、収容部１１の外側から底面３７を通して電子部品群２７を見ることができる。
【００４５】
この回路基板２１を、画像制御基板３や賞球制御基板５と接続をするには、コネクタ群７と対になるコネクタをコネクタ群７に差し込むことになるが、この際に回路基板２１に加わる荷重は凸部７３、取付ボス２３、２３ｂ、ねじ２５にて支持される。従って、回路基板２１が大きく湾曲したり破損したりすることがない。凸部７３が本発明の支持部に相当する。
【００４６】
この荷重は取付ボス２３ａに螺合されたねじ２５にはこれを引き抜く方向に掛かるが、ここはコネクタ群７の近傍であるため、人力と大差のない力しか掛からない。一方、取付ボス２３ｂには、回路基板２１を取付ボス２３ｂに押し付ける方向に荷重が掛かるため、取付ボス２３ｂに螺合されたねじ２５が引き抜かれることもない。
【００４７】
以上、本発明を適用した実施例として、基板ケース１について説明してきたが、本発明はこうした実施例に何等限定されるものではなく様々な態様で実施しうる。
例えば、回路基板２１を収容部１１に取り付けるに際し、ねじ２５や取付ボス２３ａ、２３ｂ以外の構成を用いて固定しても良い。また、回路基板２１はスルーホールを用いて電子部品群２７やコネクタ群７を実装した基板であったが、これらを表面実装した基板にしても良い。
【００４８】
基板ケース１では封止をピン１３、ピン挿入口１５、封止用ベース６１等を用いて行なったが、これら以外の構成を用いて行なっても良い。その場合にも、基板ケース１で採用した封止部の態様と同様、封止が解かれたことやその回数が容易に分かる態様であることが望ましい。
【００４９】
また、基板ケース１はパチンコ機用として例示したが、パチンコ機以外の遊技機に適用しても構わない。
【図面の簡単な説明】
【図１】  本発明を適用した基板ケース１が設けられたパチンコ機の裏面を示す説明図である。
【図２】  基板ケース１の斜視図である。
【図３】  基板ケース１の収容部１１に回路基板２１が取り付けられる様子を示す斜視図である。
【図４】  コネクタカバー２９が収容部１１に取り付けられる様子を示す説明図である。
【図５】  収容部１１に回路基板２１が取り付けられる様子をベース部９側から見た斜視図である。
【図６】  収容部１１がベース部９に重合される様子を示す説明図である。
【図７】  基板ケース１にて行なわれる封止の説明図である。
【図８】  図２のＢ−Ｂ′断面図である。
【図９】  図２のＣ−Ｃ′断面図である。
【符号の説明】
１…基板ケース
７…コネクタ群        ９…ベース部
１１…収容部          １３、１７…ピン
１５…ピン挿入口      ２１…回路基板
２３ａ、２３ｂ…取付ボス    ２５、６９…ねじ
２７…電子部品群      ２９…コネクタカバー
３２、３５…穴        ３３…コネクタ窓
３４…包囲部          ４５、４９、５５…周壁
４２、４３…凹部      ５３…ガイド部
５７、７７…当接部    ７１、７３、７５…凸部
【図１】
0004541467.tif 000002
【図２】
0004541467.tif 000003
【図３】
0004541467.tif 000004
【図４】
0004541467.tif 000005
【図５】
0004541467.tif 000006
【図６】
0004541467.tif 000007
【図７】
0004541467.tif 000008
【図８】
0004541467.tif 000009
【図９】
0004541467.tif 000010